(57)【要約】【課題】ヘッド部の破損を防止すると共に、水抜けが良く、また毛束の所定のしなやかさを維持できる使用感の良い歯ブラシ及び歯ブラシの製造方法を提供する。【解決手段】平線を用いることなく、毛束５Ａを合成樹脂製のヘッド部に植設した歯ブラシ１であって、合成樹脂製繊維５からなる毛束５Ａと、前記ヘッド部４の表面と背面を貫通した、前記毛束が挿通する植設穴６と、前記ヘッド部４の背面側における毛束の一端部に、前記毛束が溶融固化した状態の塊状部５Ｂと、前記毛束の塊状部５Ｂが係止される、前記植設穴に形成された係止部６ａと、前記ヘッド部４の一部を溶融固化状態で、前記係止部６ａに係止された毛束５Ａの塊状部５Ｂの背面側を覆い、前記毛束５Ａを前記ヘッド部４に固定する固定部７と、を備えている。【選択図】図２
2017148469.tif 000002
【特許請求の範囲】
【請求項１】
平線を用いることなく、毛束を合成樹脂製のヘッド部に植設した歯ブラシにおいて、
合成樹脂製繊維からなる毛束と、
前記ヘッド部の表面と背面を貫通した、前記毛束が挿通する植設穴と、
前記ヘッド部の背面側における毛束の一端部に形成された、前記毛束が溶融固化した状態の塊状部と、
前記毛束の塊状部を係止する係止部と、
前記ヘッド部の背面側の一部、あるいは植設穴に配置された閉塞部材を溶融固化した状態で、前記係止部に係止された毛束の塊状部の背面側を覆い、前記毛束を前記ヘッド部に固定する固定部と、
を備えていることを特徴とする歯ブラシ。
【請求項２】
前記植設穴が、前記ヘッド部に１個設けられていることを特徴とする請求項１記載の歯ブラシ。
【請求項３】
前記植設穴が、前記ヘッド部に複数個設けられていることを特徴とする請求項１記載の歯ブラシ。
【請求項４】
前記固定部が、複数個の植設穴の夫々に設けられていることを特徴とする請求項３記載の歯ブラシ。
【請求項５】
前記固定部の表面が、ヘッド部背面から突出していることを特徴とする請求項１乃至請求項４のいずれかに記載の歯ブラシ。
【請求項６】
前記固定部が、前記ヘッド部の背面側の植設穴の周囲を囲うように前記ヘッド部の背面に突出して形成された壁部を溶融固化した状態で、毛束の塊状部の背面側を覆い、前記毛束を前記ヘッド部に固定していることを特徴とする請求項１乃至請求項５のいずれかに記載の歯ブラシ。
【請求項７】
前記固定部が、前記ヘッド部の背面側の植設穴の周囲を囲うように配置された閉塞部材を溶融固化した状態で、毛束の塊状部の背面側を覆い、前記毛束を前記ヘッド部に固定していることを特徴とする請求項１乃至請求項５のいずれかに記載の歯ブラシ。
【請求項８】
前記毛束の塊状部が、前記ヘッド部の表面を基準として、前記ヘッド部厚さの５０％以上の位置に配置されていることを特徴とする請求項１乃至請求項７のいずれかに記載の歯ブラシ。
【請求項９】
前記ヘッド部の表面側の植設穴の開口縁が、曲面形状あるいは面取りされていることを特徴とする請求項１乃至請求項８のいずれかに記載の歯ブラシ。
【請求項１０】
請求項１乃至請求項９のいずれかに記載の歯ブラシの製造方法において、
貫通した植設穴と、前記係止部とを備えるヘッド部を樹脂成形により形成する工程と、
前記ヘッド部形成工程の後、合成樹脂製繊維からなる毛束を、前記植設穴に挿通する工程と、
前記植設穴に毛束を挿通する工程の後、ヘッド部の背面側における毛束の一端部を、溶融固化し、塊状部を形成する工程と、
前記塊状部の形成工程の後、前記塊状部を前記係止部に係止する工程と、
前記ヘッド部の一部、あるいは植設穴に配置された閉塞部材を溶融固化し、前記塊状部の背面側を覆い、前記毛束を前記ヘッド部に固定する固定部を形成する工程と、
を備えることを特徴とする歯ブラシの製造方法。
【請求項１１】
前記ヘッド部形成工程において、前記ヘッド部の背面側の植設穴の周囲を囲うように壁部を形成し、
前記毛束をヘッド部に固定する工程において、前記壁部を溶融固化し、前記塊状部の背面側を覆い、前記毛束を前記ヘッド部に固定する、固定部を形成することを特徴とする請求項１０記載の歯ブラシの製造方法。
【請求項１２】
前記毛束をヘッド部に固定する工程において、前記ヘッド部の背面側の植設穴の周囲を囲うように閉塞部材を配置し、前記閉塞部材を溶融固化し、前記塊状部の背面側を覆い、前記毛束を前記ヘッド部に固定する、固定部を形成することを特徴とする請求項１０記載の歯ブラシの製造方法。
【請求項１３】
前記ヘッド部を樹脂成形により形成する工程において、
前記植設穴を、１個形成することを特徴とする請求項１０乃至請求項１２のいずれかに記載の歯ブラシの製造方法。
【請求項１４】
前記ヘッド部を樹脂成形により形成する工程において、
前記植設穴を、複数個形成することを特徴とする請求項１０乃至請求項１２のいずれかに記載の歯ブラシの製造方法。
【請求項１５】
前記固定部が、複数個の植設穴の夫々に形成されることを特徴とする請求項１４記載の歯ブラシの製造方法。
【発明の詳細な説明】
【技術分野】
【０００１】
本発明は歯ブラシ及び歯ブラシの製造方法に関し、特に平線を用いない無平線タイプの歯ブラシ及び歯ブラシの製造方法に関する。
【背景技術】
【０００２】
図１９に示すように、例えば、特許文献１に示された歯ブラシ１５は、毛束１５Ａを二つ折りにして、その折り曲げ部を歯ブラシのヘッド部１５Ｄの表面に凹設した植毛穴１５Ｂに挿入し、毛束１５Ａの折り曲げ部の内側に平線１５Ｃをわたし、平線１５Ｃの両端部を歯ブラシのヘッド部１５Ｄ表面に固定している。この毛束１５Ａは、前記平線１５Ｃによってヘッド部１５Ｄに固定される。
この平線１５Ｃを用いる歯ブラシ１５にあっては、ヘッド部１５Ｄは平線１５Ｃの圧入に耐えるような肉厚が必要となり、ヘッド部１５Ｄが大きくなるという問題があった。また、ヘッド部１５Ｄは樹脂で形成され、平線１５Ｃは金属で形成されるため、ヘッド部１５Ｄと平線１５Ｃを分離し、分別廃棄するのが難しいという問題があった。
【０００３】
また、前記した複数の毛束１５Ａを備える歯ブラシ１５では磨ききれない孤立歯等を効果的に磨く歯ブラシとして、ワンタフトブラシが知られている。このワンタフトブラシを図２０に示す。
このワンタフトブラシ１６も、前記歯ブラシ１５と同様に、毛束１６Ａを二つ折りにして、その折り曲げ部を歯ブラシのヘッド部１６Ｄの表面に凹設した植毛穴１６Ｂに挿入し、毛束１６Ａの折り曲げ部の内側に平線１６Ｃをわたし、平線１６Ｃの両端部をヘッド部１６Ｄ表面に固定している。
したがって、このワンタフトブラシ１６においても、前記した歯ブラシ１５と同様に、この平線１６Ｃが用いられているため、ヘッド部１６Ｄは平線１６Ｃの圧入に耐えるような肉厚が必要となり、ヘッド部１６Ｄが大きくなるという問題があった。また、ヘッド部１６Ｄは樹脂で形成され、平線１６Ｃは金属で形成されるため、ヘッド部１６Ｄと平線１６Ｃを分離し、分別廃棄するのが難しいという問題があった。
【０００４】
そこで、前記平線１５Ｃ，１６Ｃを用いた歯ブラシ１５、１６の問題を解決するものとして、例えば、特許文献２に示すような平線を用いない無平線タイプの歯ブラシが提案されている。
平線を用いない無平線タイプの歯ブラシについて、図２１に基づいて説明する。
この無平線タイプの歯ブラシ２０は、ヘッド部２１に植毛穴２２が形成されると共に、ヘッド部２１の背面に凹部２３が形成され、前記植毛穴２２には前記凹部２３内に開口している。そして、前記植毛穴２２に毛束２４を挿入し、前記凹部内２３に樹脂２５を充填することにより、前記毛束２４をヘッド部２１に固定している。
【０００５】
更に、この無平線タイプの歯ブラシ２０の製造方法について、図２２に基づいて説明する。まず、ヘッド部２１に植毛穴２２と凹部２３が形成された歯ブラシ本体（ヘッド部２１）を成形する。
そして、図２２（ａ）に示すように、毛束保持治具３０にヘッド部２１を据付ける。この毛束保持治具３０は、ヘッド部２１の据付部３１と、据付部３１に据付けられるヘッド部２１の植毛穴２２に連なる毛束整形孔３２を備えている。
【０００６】
次に、毛束植設装置（図示せず）により、毛束保持治具３０に据付けられているヘッド部２１の植毛穴２２から毛束保持治具３０の毛束整形孔３２に、毛束２４を植設し、毛束２４の先端部を毛束整形孔３２の孔底面に押し当て整形する。
【０００７】
更に、毛束端面溶融装置４０により、図２２（ｂ）に示すように、ヘッド部２１の凹部２３内に出ている毛束２４の端面を溶融し、塊状部２４ａを形成する。
続いて、図２２（ｃ）に示すように、前記ヘッド部２１を有する歯ブラシと毛束保持治具３０を、搬送装置（図示せず）によって、成形装置５０に搬送し、位置決めする。
その後、図２２（ｄ）に示すように、成形装置５０の成形金型５１の注入口５２（ゲート）から導入される背面充填材６０を、前記凹部２３内に注入して、ヘッド部２１に毛束２４を固定する。
前記充填材６０の固化後、成形金型５１を開いて歯ブラシ２０及び毛束保持治具３０を取出し、歯ブラシ２０を毛束保持治具３０から外すことにより、図２２（ｅ）に示すような、歯ブラシ２０が完成する。
【０００８】
ところで、前記した無平線タイプの歯ブラシ２０は、予め形成されたヘッド部２１の植毛穴２２に、毛束２４を挿入し、前記凹部内２３に樹脂２５を充填することにより、前記毛束２４をヘッド部２１に固定したものであるが、その他に、歯ブラシのヘッド部と柄部（以下、ヘッド部と柄部を含めて歯ブラシ本体という）を形成する際に、毛束のヘッド部への固定を同時に行う、無平線タイプの歯ブラシも知られている。
この歯ブラシ本体の形成と毛束のヘッド部の固定を同時に行う、無平線タイプの歯ブラシについて、図２３に基づいて説明する。尚、図２１、図２２に示した部材と同一あるいは相当する部材は、同一符号を付して、その詳細な説明は省略する。
【０００９】
図２３（ａ）に示すように、毛束保持治具３０は、歯ブラシ本体部を形成するための凹部からなる歯ブラシ本体部形成部３３と、歯ブラシ本体部形成部３３に開口する毛束整形孔３２を備えている。
そして、この毛束保持治具３０の毛束整形孔３２に、毛束植設装置（図示せず）により、毛束２４を植設し、毛束２４の先端部を毛束整形孔３２の孔底面に押し当て成形する。
その後、毛束端面溶融装置４０により、図２３（ｂ）に示すように、歯ブラシ本体部形成部３３内に出ている毛束２４の端面を溶融し、塊状部２４ａを形成する。
【００１０】
続いて、図２３（ｃ）に示すように、毛束保持治具３０を、搬送装置（図示せず）によって、成形装置５０に搬送し、位置決めする。
その後、図２３（ｄ）に示すように、成形装置５０の成形金型５１の注入口５２（ゲート）から導入される成形材６０を、前記ヘッド部形成部３３内に注入して、歯ブラシ本体部（ヘッド部と柄部）２６の形成と、毛束２４のヘッド部２１の固定を行う。
前記成形材６０の固化後、成形金型５１を開いて歯ブラシ２０及び毛束保持治具３０を取出し、歯ブラシ２０を毛束保持治具３０から外すことにより、図２３（ｅ）に示すような、歯ブラシ２０が完成する。
【先行技術文献】
【特許文献】
【００１１】
【特許文献１】特開平１１−５６４７８公報
【特許文献２】特開２００３−２３５６４８公報
【発明の概要】
【発明が解決しようとする課題】
【００１２】
ところで、図２１、図２２に示した従来の無平線タイプの歯ブラシ２０は、ヘッド部２１の植毛穴２２に毛束２４を挿入し、前記ヘッド部の凹部２３内に樹脂を充填することにより、前記毛束２４を固定する。したがって、前記凹部２３内に毛束を固定するための合成樹脂からなる固定部２５が存在する。
そのため、前記ヘッド部２１と固定部２５との界面部分は機械的強度が弱く、しかも前記ヘッド部２１は所定の長さ寸法を有するため、ヘッド部２１を湾曲させる力が作用すると固定部２５も変形し、固定部２５が界面部分から剥離し、前記固定部２５が脱落する虞があるという技術的課題があった。
また、前記ヘッド部の凹部２３内に樹脂を充填することにより、前記毛束２４を固定するように構成されているため、前記ヘッド部の厚さ（凹部２３の深さ）が必要であり、前記ヘッド部の小型化、薄型化の要請に反し、良好な使用感が得られないという技術的課題があった。
【００１３】
また、図２１、図２２に示した従来の無平線タイプの歯ブラシにあっては、成形装置によって背面充填材（合成樹脂）を注入するための一つの凹部２３が形成される。そして、この凹部２３の縁部Ｆ（図２１参照）が存在するために、植毛穴２２を歯ブラシ本体（ヘッド部２１）の外縁部近傍に形成することができかった。即ち、歯ブラシ本体（ヘッド部２１）全体に毛束２４を形成できないというという技術的課題があった。
更に、成形金型５１を必要とするため、製造コストが嵩むという技術的課題があった。
【００１４】
また、図２３に示した従来の無平線タイプの歯ブラシにあっては、歯ブラシ本体部２６（ヘッド部２１）の形成と、毛束２４のヘッド部２１への固定が同時に行われるため、成形材（合成樹脂）が、毛束の毛の間に浸透する。
その結果、図２４に示すように、毛束２４を構成する毛の下端部２４Ａ同士が前記樹脂によって接着され、また毛束２４を構成する毛の下端部２４Ａが、歯ブラシ本体部２６（ヘッド部２１）に接着される。更に、歯ブラシ本体部２６（ヘッド部２１）に形成される植設穴自体の形状が毛束２４に倣った形状になり、歯ブラシ本体部２６（ヘッド部２１）と毛束２４との間の隙間が形成されない。
【００１５】
このように、図２３に示した従来の無平線タイプの歯ブラシにあっては、毛の下端部２４Ａ同士が接着され、また毛の下端部２４Ａが歯ブラシ本体部２６（ヘッド部２１）に接着され、毛の下端部２４Ａと歯ブラシ本体部２６（ヘッド部２１）との間に隙間が形成されないため、毛束の所定のしなやかさが失われ、また毛間の水抜けが悪く、歯ブラシの使用感が劣るという技術的課題を招来するものであった。
尚、図２１、図２２に示した従来の無平線タイプの歯ブラシ２０、また図２３に示した従来の無平線タイプの歯ブラシ２０の技術を、ワンタフトブラシに適用した場合にも、前記した歯ブラシ２０と同様な技術的課題を招来するものであった。
【００１６】
本発明は、上記技術的課題を解決するためになされたものであり、ヘッド部の破損を防止すると共に、安価に製造でき、水抜けが良く、また毛束の所定のしなやかさを維持できる使用感の良い歯ブラシ及び歯ブラシの製造方法を提供することを目的とする。
【課題を解決するための手段】
【００１７】
上記目的を達成するためになされた本発明にかかる歯ブラシは、平線を用いることなく、毛束を合成樹脂製のヘッド部に植設した歯ブラシにおいて、合成樹脂製繊維からなる毛束と、前記ヘッド部の表面と背面を貫通した、前記毛束が挿通する植設穴と、前記ヘッド部の背面側における毛束の一端部に形成された、前記毛束が溶融固化した状態の塊状部と、  前記毛束の塊状部を係止する係止部と、前記ヘッド部の背面側の一部、あるいは植設穴に配置された閉塞部材を溶融固化した状態で、前記係止部に係止された毛束の塊状部の背面側を覆い、前記毛束を前記ヘッド部に固定する固定部と、を備えていることを特徴としている。
【００１８】
このように、本発明にかかる歯ブラシにあっては、平線を用いることなく、植設穴に挿通した毛束の一端部に形成された塊状部を、ヘッド部の一部、あるいは植設穴に配置された閉塞部材を溶融固化することにより形成される固定部によって固定されている。
特に、前記ヘッド部の背面側の一部を溶融固化した状態で、前記係止部に係止された毛束の塊状部の背面側を覆い、前記毛束を前記ヘッド部に固定する固定部のように、前記毛束を固定する固定部とヘッド部との間に界面が存在しない場合には、機械的強度をより増大させることができ、固定部の脱落を防止することができる。
また、ヘッド部の厚さを薄くでき、前記ヘッド部を小型化、薄型化ができ、良好な使用感を得ることができる。
【００１９】
また、本発明にかかる歯ブラシは、歯ブラシ本体部（ヘッド部）の形成と毛束のヘッド部への固定が同時に行われる従来の歯ブラシと異なり、毛束を構成する毛の下端部同士が接着されることはなく、また毛の下端部が歯ブラシ本体部（ヘッド部）に接着されることもない。
また、本発明にかかる歯ブラシの植設穴は、前記従来の歯ブラシのように毛束に倣った形状にならず、毛の下端部と歯ブラシ本体部（ヘッド部）との間に隙間が形成される。
その結果、水抜けが良く、また毛束の所定のしなやかさを維持できる使用感の良い歯ブラシを得ることができる。
特に、植毛穴の形状を所望の形状に維持することができるため、植毛穴と毛束との間に隙間を形成できると共に、植毛穴の面積と毛束の総面積の割合（毛束の占有率）を、所望の割合に容易になすことができ、所望の水抜け、所望の毛束のしなやかさを有する歯ブラシを得ることができる。
尚、一つの毛束を一つの固定部によって固定しても、あるいは複数の毛束を一つの固定部によって固定しても良い。即ち、植毛穴の個々に、別個の固定部を設けても良く、あるいは、複数の植毛穴に一つの固定部を設けても良い。
【００２０】
本発明にかかる歯ブラシは、前記植設穴が前記ヘッド部に１個設けられている、いわゆるワンタフトブラシ、また前記植設穴が前記ヘッド部に複数個設けられている、いわゆる通常の歯ブラシにも、適用することができる。
また、前記固定部が、複数個の植設穴の夫々に設けられていることが望ましい。
このように、複数の植設穴の夫々に固定部が形成される場合には、従来のようなヘッド部に一つの凹部が形成されている場合のような凹部の肉厚な縁部が存在しないために、植毛穴をヘッド部の外縁部近傍に形成することができ、ヘッド部全体により多くの毛束を形成することができる。
【００２１】
また、前記固定部の表面がヘッド部背面から突出していることが望ましい。即ち、固定部がヘッド部背面において凸部として形成されている。
このように、固定部の表面がヘッド部背面から突出するように構成されることにより、ヘッド部の厚さを薄くしつつ、ヘッド部（植毛穴）による毛束の保持長さを長くすることができる。
【００２２】
また、前記固定部が、前記ヘッド部の背面側の植設穴の周囲を囲うように前記ヘッド部の背面に突出して形成された壁部を溶融固化した状態で、毛束の塊状部の背面側を覆い、前記毛束を前記ヘッド部に固定していることが望ましい。
このように、前記ヘッド部の背面側の植設穴の周囲を囲うように形成された壁部により容易に固定部を形成することができる。前記壁部は、円筒状あるいは側面が傾斜した円錐台状に形成されているのが好ましい。
尚、前記固定部が、前記ヘッド部の背面側の植設穴の周囲を囲うように配置された閉塞部材を、溶融固化して形成された固定部であっても良い。
【００２３】
更に、前記毛束の塊状部が、前記ヘッド部の表面を基準として、前記ヘッド部厚さの５０％以上の位置に、配置されていることが望ましい。
尚、前記ヘッド部厚さの５０％未満の位置に配置されている場合には、ヘッド部（植設穴）による毛束の保持長さが短く、また毛の可動支点（ヘッド部表面側の植設穴の縁部と毛の接触点）が前記塊状部の近傍になるため、毛が抜け易いという弊害が生じるため、好ましくない。また、毛の可動支点が前記塊状部の近傍になるため、毛の振幅が大きくなるため、毛先が開き易くなるという弊害が生じるため、好ましくない。
【００２４】
また、前記ヘッド部の表面側の植設穴の開口縁が、曲面形状あるいは面取りされていることが望ましい。
前記ヘッド部の表面側の植設穴の開口縁が垂直な角部である場合には、前記角部により毛が折れ曲がり易くなり、好ましくない。これに対して、植設穴の開口縁が曲面形状あるいは面取りされている場合には、毛の折れ曲がりが抑制されると共に、製造時に毛束を挿入する際のガイドとしての機能させることができる。
【００２５】
上記目的を達成するためになされた本発明にかかる歯ブラシの製造方法は、貫通した植設穴と、前記係止部とを備えるヘッド部を樹脂成形により形成する工程と、前記ヘッド部形成工程の後、合成樹脂製繊維からなる毛束を、前記植設穴に挿通する工程と、前記植設穴に毛束を挿通する工程の後、ヘッド部の背面側における毛束の一端部を、溶融固化し、塊状部を形成する工程と、前記塊状部の形成工程の後、前記塊状部を前記係止部に係止する工程と、前記ヘッド部の一部、あるいは植設穴に配置された閉塞部材を溶融固化し、前記塊状部の背面側を覆い、前記毛束を前記ヘッド部に固定する固定部を形成する工程と、を備えることを特徴としている。
【００２６】
このように、ヘッド部の一部を、あるいは植設穴に配置された閉塞部材を溶融固化し、前記塊状部の背面側を覆い、前記毛束を前記ヘッド部に固定する固定部を形成する工程を備えているため、上記した歯ブラシを容易に製造することができる。また、成形金型を必要としないため、安価に製造することができる。
尚、一つの毛束を一つの固定部によって固定しても、あるいは複数の毛束を一つの固定部によって固定しても良い。即ち、植毛穴の個々に、別個の固定部を設けても良く、あるいは、複数の植毛穴に一つの固定部を設けても良い。
【００２７】
特に、前記ヘッド部形成工程において、前記ヘッド部の背面側の植設穴の周囲を囲うように壁部を形成し、前記毛束をヘッド部に固定する工程において、前記壁部を溶融固化し、前記塊状部の背面側を覆い、前記毛束を前記ヘッド部に固定する、固定部を形成することが望ましい。
このように、ヘッド部の背面側の植設穴の周囲を囲うように形成された壁部を形成し、この壁部を溶融固化することにより、容易に塊状部の背面側を覆うことができ、前記毛束を前記ヘッド部に確実に固定することができる。
尚、前記毛束をヘッド部に固定する工程において、前記ヘッド部の背面側の植設穴の周囲を囲うように閉塞部材を配置し、前記閉塞部材を溶融固化し、前記塊状部の背面側を覆い、前記毛束を前記ヘッド部に固定する、固定部を形成しても良い。
【００２８】
本発明にかかる歯ブラシの製造方法は、前記植設穴が前記ヘッド部に１個設けられている、いわゆるワンタフトブラシ、また前記植設穴が前記ヘッド部に複数個設けられている、いわゆる通常の歯ブラシのいずれの製造にも適用することができる。
また、複数個の植設穴の夫々に固定部が形成される場合には、従来のようなヘッド部に一つの凹部が形成されている場合のような凹部の肉厚な縁部が存在しないために、植毛穴をヘッド部の外縁部近傍に形成することができ、ヘッド部全体により多くの毛束を形成することができる。
【発明の効果】
【００２９】
本発明によれば、ヘッド部の破損を防止すると共に、安価に製造でき、水抜けが良く、また毛束の所定のしなやかさを維持できる使用感の良い歯ブラシ及び歯ブラシの製造方法を得ることができる。
【図面の簡単な説明】
【００３０】
【図１】図１は、本発明にかかる歯ブラシの第１の実施形態を示す斜視図であり、（ａ）は歯ブラシの背面側からみた斜視図であり、（ｂ）は歯ブラシの表面側からみた斜視図である。
【図２】図２は、図１（ａ）のＩ−Ｉ断面図である。
【図３】図３は、図１に示した植設穴の表面側の拡大図である。
【図４】図４は、毛束に用いられている合成樹脂製繊維（毛）の形状を示す側面図である。
【図５】図５は、本発明にかかる歯ブラシの第１の実施形態にかかる製造方法を示す工程図である。
【図６】図６は、図５に続く歯ブラシの製造方法を示す工程図である。
【図７】図７は、図５（ｃ）の工程を詳細に示した工程図である。
【図８】図８は、図６（ｂ）の工程を詳細に示した工程図である。
【図９】図９は、第１の変形例を示す図であって、図６（ｂ）の工程を詳細に示した工程図である。
【図１０】図１０は、第２の変形例を示す図であって、図６（ｂ）の工程を詳細に示した工程図である。
【図１１】図１１は、第３の変形例を示す図であって、図６（ｂ）の工程を詳細に示した工程図である。
【図１２】図１２は、本発明にかかる歯ブラシの第２の実施形態を示す斜視図であり、（ａ）は歯ブラシの背面側からみた斜視図であり、（ｂ）は歯ブラシの表面側からみた斜視図である。
【図１３】図１３は、図１２に示すＩＩ−ＩＩ断面図である。
【図１４】図１４は、第２の実施形態における固定部形成前の状態を示す図であって、（ａ）は歯ブラシの背面側からみた斜視図であり、（ｂ）は歯ブラシの表面側からみた斜視図である。
【図１５】図１５は、図１４（ａ）に示すＩＩＩ−ＩＩＩ断面図である。
【図１６】図１６は、本発明にかかる歯ブラシの第２の実施形態の変形例を示す断面図である。
【図１７】図１７は、図１６に示す変形例の製造方法を説明するための断面図である。
【図１８】図１８は、図１７に続く製造方法を説明するための断面図である。
【図１９】図１９は、従来の通常の歯ブラシの構造を示す断面図である。
【図２０】図２０は、従来のワンタフトブラシの構造を示す断面図である。
【図２１】図２１は、従来の他の歯ブラシの構造を示す断面図である。
【図２２】図２２は、従来の他の歯ブラシの製造方法を示す工程図である。
【図２３】図２３は、従来の他の歯ブラシの他の製造方法を示す工程図である。
【図２４】図２４は、従来の他の歯ブラシの植設穴の表面側の拡大図である。
【発明を実施するための形態】
【００３１】
以下、本発明の第１の実施の形態を図１乃至図８に基づいて説明する。尚、図１は、本発明にかかる歯ブラシの第１の実施形態を示す斜視図であり、（ａ）は歯ブラシの背面側からみた斜視図であり、（ｂ）は歯ブラシの表面側からみた斜視図である。また図２は、図１（ａ）のＩ−Ｉ断面図である。更に、図３は植設穴の拡大図である。
【００３２】
図中、符号１は歯ブラシを示し、符号２は歯ブラシ１の柄を示し、この柄の先端部分には、ブラシ３が設けられた歯ブラシヘッド（以下、ヘッド部という）４が形成されている。前記ブラシ３は、複数本の合成樹脂製繊維５からなる毛束５Ａを、前記ヘッド部４の複数個所に植設することにより形成される。
【００３３】
また、図２に示すように、前記ヘッド部２の背面側における毛束５Ａの一端部には、塊状部５Ｂが形成されている。この塊状部５Ｂは、毛束５Ａが溶融固化した状態で形成される。
更に、前記ヘッド部４には、毛束５Ａが挿通し、保持される複数の植設穴６が形成されている。前記植設穴６の上端部には、前記植設穴６の他の部分（小径部）よりも径が大きい大径部６ｂが形成されている。尚、この大径部６ｂは植設穴６の一部を構成するものであり、植設穴６と連通している。即ち、この大径部６ｂは、前記大径部６ｂ（底面部）と植設穴６の境界部に、いわゆる段部である係止部６ａを形成するものである。また、前記係止部６ａには前記塊状部５Ｂが係止されるように構成されている。
尚、前記大径部６ｂは係止部６ａが形成できる程度の径を有していれば良く、必要以上に径を大きくすることは、ヘッド部２に形成される植設穴６の数を少なくすることを意味し、好ましくない。
【００３４】
この植設穴６は、ヘッド部４の表面４ａ側と背面４ｂ側とを貫通して形成され、植設穴６（大径部６ｂ）の背面側の開口部を、固定部７によって覆うことによって、前記毛束５Ａはヘッド部４に固定される。尚、この固定部７は、ヘッド部４の一部が溶融固化した状態のものである。
【００３５】
前記固定部７は、ヘッド部４の背面４ｂから突出した凸部として形成されている。このように、固定部７の表面がヘッド部４の背面から突出するように構成するのは、ヘッド部４の厚さを薄くしつつ、植設穴６による毛束５Ａの保持長さを長くするためである。
特に、前記塊状部５Ｂの底面が、前記ヘッド部４の表面４ａから前記ヘッド部厚さｔ１の５０％以上の位置（寸法ｔ２）に、配置されていることが望ましい。
このヘッド部の厚さとは、ヘッド部の最大厚さをいい、固定部７はヘッド部４の背面４ｂから突出した凸部として形成されている場合には、ヘッド部４の表面から固定部７の凸部表面までの寸法を言う。
尚、前記ヘッド部厚さの５０％未満の位置に配置されている場合には、ヘッド部４（植設穴６）による毛束の保持長さが短く、また毛の可動支点Ｐ（ヘッド部表面側の植設穴の縁部と毛の接触点）が前記塊状部５Ｂの近傍になるため、毛が抜け易いという弊害が生じるため、好ましくない。また、毛の可動支点Ｐが前記塊状部５Ｂの近傍になるため、毛の振幅（振れ）が大きくなり、毛先が開き易くなるという弊害が生じるため、好ましくない。
【００３６】
また、図３に示すように、前記ヘッド部４の表面側の植設穴６の開口縁６ｃが、曲面形状あるいは面取りされている。前記ヘッド部４の表面側の植設穴６の開口縁６ｃが垂直な角部である場合には、前記角部により毛５が折れ曲がり易くなり、好ましくない。これに対して、植設穴６の開口縁６ｃが曲面形状あるいは面取りされている場合には、毛５の折れ曲がりが抑制されると共に、製造時に毛束５Ａを挿入する際のガイドとしての機能させることができる。
【００３７】
また、図５（ａ）に示すように、前記固定部７は、前記ヘッド部４の背面側の植設穴６（大径部６ｂ）の周囲を囲うように形成された、外形が円筒状あるいは円錐台形状（中心部に植設穴６が形成された）の壁部４ｃを溶融固化して形成される。外形が円筒状あるいは円錐台形状の壁部４ｃの場合、上方からヒータのような加熱溶融装置を押し当てることにより、容易に固定部７を形成することができる。
尚、前記壁部４ｃは、植設穴６の全周を囲うように形成する必要はなく、植設穴６の一部を囲うものであっても良い。即ち、前記壁部４ｃは、溶融して前記植設穴６（大径部６ｂ）の開口部６ｂを塞ぎ、前記塊状部５Ｂを固定できるものであれば良い。
【００３８】
また前記ヘッド部４は、ポリプロピレン樹脂、ポリアセタール樹脂、ポリオキシメチレン樹脂等の樹脂で、歯ブラシ１の柄２と一体に形成される。また、前記ヘッド部４は、例えば、幅６〜１５ｍｍ、長さ１５〜３５ｍｍ、厚さ２〜７ｍｍに形成される。
【００３９】
また、ヘッド部４に植設された合成樹脂製繊維５は、例えば、ヘッド部４の表面から９〜１４ｍｍの長さに形成される。前記ブラシ３を構成する合成樹脂製繊維５の素材としては、６，６−ナイロン，６−ナイロン、１２−ナイロン、６，１０−ナイロン、６，１２−ナイロン等のポリアミド系樹脂、ポリエチレン、ポリプロピレン等のポリオレフィン系樹脂、ポリエチレンテレフタレート、ポリブチレンテレフタレート、ポリトリメチレンテレフタレート等のポリエステル系樹脂が用いられている。
【００４０】
このブラシ３を構成する合成樹脂製繊維５としては、図４（ａ）で拡大した模式図で示すように、先端に向かうにしたがって径が徐々に小さく形成され、先端部に先細りのテーパ面５ａ１が形成されたテーパ繊維５ａと、図４（ｂ）で拡大した模式図で示すように、円柱状の繊維（非テーパ繊維）５ｂとを含んでいる。
このテーパ繊維５ａのテーパ面５ａ１長さＸは、合成樹脂製繊維の先端から１〜５ｍｍの範囲に形成されている。
【００４１】
このようにテーパ繊維５ａのテーパ面５ａ１長さＸが、合成樹脂製繊維の先端から１〜５ｍｍの範囲に形成したのは、歯周ポケット等の掃き出し効果と、歯面の清掃効果を考慮したものである。その結果、中程度の歯周炎を患っている患者に対応した歯ブラシとすることができる。
即ち、テーパ面５ａ１長さＸが１ｍｍ未満の場合、テーパ繊維５ａが歯周ポケットの深部まで侵入せず、前記ポケット奥の清掃が不十分になる。一方、テーパ面５ａ１長さＸが５ｍｍを超える場合、毛先（テーパ繊維）が細くなり過ぎ、歯周ポケット内の汚れを掃き出し難く、また、腰（曲げに対する反発力）が弱く、歯面を磨く効果も低下するため、好ましくない。
【００４２】
この合成樹脂製繊維としては、直径が０．１０ｍｍ〜０．２５ｍｍ程度のものが適度な弾力が得られると共に、曲がりや折れなどの抑制効果も有しており、歯ブラシとして好適に利用することができる。
前記直径は、テーパ繊維５ａ及び非テーパ繊維５ｂ共に、好ましくは０．１５ｍｍ〜０．２５ｍｍのものが良い。尚、前記テーパ繊維５ａの直径は、円柱部（テーパ面５ａ１が形成されていない部分）の径である。
【００４３】
また、前記合成樹脂製繊維は円柱状以外に、その断面形状が楕円形状、星型形状、まゆ型形状、十字型形状、多角形型形状のいずれであっても良い。
【００４４】
また、合成樹脂製繊維５が集合した一つ束の繊維の数は、適宜設定することができるが、通常一つの植毛穴６から飛び出る本数として２０〜５０本のものを好適に利用することができる。また、前記歯ブラシ１の柄２の先端部に植設される繊維束５Ａ（植毛穴６）の数は、適宜設定することができるが、通常１４箇所〜４０箇所植設されるものを好適に利用することができる。
【００４５】
以上のように構成された歯ブラシにあっては、平線を用いることなく、植設穴６に挿通した毛束５Ａの一端部に形成された塊状部５Ｂを、ヘッド部４の一部を溶融固化した状態の固定部７によって固定される。
このように従来の歯ブラシのように一つの凹部内に樹脂を充填しないため、ヘッド部２１を湾曲させる力が作用した場合にも、個々の固定部７の変形量が少ないため、前記固定部７の剥離を抑制でき、また前記固定部７の脱落を防止することができる。
また、前記したヘッド部４の一部を溶融固化した状態の固定部７のように、前記毛束を固定する固定部とヘッド部の界面が存在しない場合には、機械的強度をより増大させることができ、前記固定部７の脱落をより防止することができる。
【００４６】
また、前記歯ブラシは、歯ブラシ本体部（ヘッド部と柄部）の形成と毛束のヘッド部への固定が同時に行われる従来の歯ブラシと異なり、毛束を構成する毛の下端部同士が接着されることはなく、また毛の下端部が歯ブラシ本体部（ヘッド部）に接着されることもない。
また、前記歯ブラシの植毛穴は、前記従来の歯ブラシのように毛束に倣った形状にならず、毛の下端部と歯ブラシ本体部（ヘッド部）との間に隙間が形成される。
その結果、水抜けが良く、また毛束の所定のしなやかさを維持できる使用感の良い歯ブラシを得ることができる。
特に、また植毛穴の形状を所望の形状に維持することができるため、植毛穴と毛束との間に隙間を形成できると共に、植毛穴の面積と毛束の総面積の割合（毛束の占有率）を、所望の割合に容易になすことができ、所望の水抜け、所望の毛束のしなやかさを有する歯ブラシを得ることができる。
尚、上記実施形態では、一つの毛束５Ａが一つの固定部７によって、前記ヘッド部２１に固定される場合を示したが、複数の毛束５Ａを一つの固定部７によって、前記ヘッド部２１に固定されるようになしても良い。
【００４７】
次に、本発明にかかる第１の実施形態の製造方法の実施形態について説明する。
まず、図５（ａ）に示すように、複数の貫通した植設穴６と、前記植設穴６の上部に設けられた大径部６ｂの底面に形成された係止部６ａとを備えるヘッド部４を有する歯ブラシ１を樹脂成形により形成する。
前記ヘッド部４を有する歯ブラシ１を形成した後、図５（ｂ）に示すように、複数の合成樹脂製繊維５からなる毛束５Ａを、前記植設穴６に挿通する。このとき、前記植設穴６の表面側の開口縁（開口部６ｃ）が曲面形状あるいは面取りされている。
そのため、植設穴６の表面側の開口縁（開口部６ｃ）は、前記毛束５Ａを挿入する際のガイドとして機能し、前記毛束５Ａを前記植設穴６に容易に挿通することができる。
【００４８】
前記植設穴６に毛束５Ａを挿通した後、図５（ｃ）に示すように、ヘッド部４の背面側における毛束５Ａの一端部を、加熱溶融装置８により、溶融、固化し、塊状部５Ｂを形成する。
この加熱溶融装置８としては、一般的に用いられているヒータのような加熱溶融装置、あるいはインパルスウェルダー（ＩＰＷ）を用いることができる。
前記ヒータを用いる場合には、毛束５Ａの一端部に近接（非接触）させて加熱溶融するため、塊状部５Ｂの形状を整えることができない。そのため、後の工程の押し込み工程で、塊状部５Ｂを大径部６ｂ内に収容することができない虞がある。
一方、インパルスウェルダー（ＩＰＷ）を用いる場合には、加熱チップ８ａを有し、前記加熱チップ８ａに接触させることにより、塊状部５Ｂを形成するため、その形状を整えることができき、塊状部５Ｂを大径部６ｂ内に収容できないという弊害を防止することができる。
【００４９】
図７に基づいて、インパルスウェルダー（ＩＰＷ）を用いて塊状部５Ｂを形成する場合について説明する。
前記したように、インパルスウェルダー（ＩＰＷ）を用いる場合には、加熱チップ８ａを有し、前記加熱チップ８ａには所定形状のキャビティ８ａ１が形成されている。この加熱チップ８ａを、図７（ａ）に示す状態から下降させる。そして、図７（ｂ）に示すように、キャビティ８ａ内に毛束５Ａの一端部を収容し、加熱溶融する。このとき、毛束５Ａの一端部は、前記キャビティ８ａによって成形され、所定形状の塊状部５Ｂとすることができる。
【００５０】
更に、図５（ｄ）に戻って説明する。
図５（ｄ）に示すように合成樹脂製繊維（毛）５の毛束５Ａを切断した後、図６（ａ）に示すように、押しピン９で、前記大径部６ｂの底面によって形成された係止部６ａまで、前記塊状部５Ｂを押し込み、前記塊状部５Ｂを係止部６ａに係止させる。
尚、この押し込み工程では、押しピン９で塊状部５Ｂを押し込む方法を説明したが、本発明はこれに限定されるものではなく、空気を噴射するノズルを設け、該空気を塊状部５Ｂに噴射し、塊状部５Ｂを押し込んでも良い。
【００５１】
前記塊状部５Ｂの押し込み工程の後、図６（ｂ）に示すように、固定部７を形成する。この固定部７の形成には、インパルスウェルダー（ＩＰＷ）を用いる。
この固定部７の形成工程を、図８に基づいて説明する。前記したように、インパルスウェルダー（ＩＰＷ）は加熱チップ８ｂを有し、前記加熱チップ８ｂには所定形状のキャビティ８ｂ１が形成されている（図８（ａ）参照）。
【００５２】
図８（ｂ）に示すように、この加熱チップ８ｂを下降させ、キャビティ８ａ内に壁部４ｃを収容し、加熱溶融する。このとき、キャビティ８ａ内の形状に対応して、壁部４ｃは塊状部５Ｂの背面側を覆う方向に倒れ、前記大径部６ｂの上部開口部６ｂ１を塞ぎ、塊状部５Ｂを固定する固定部７が形成される。即ち、前記塊状部５Ｂは、前記壁部４ｃが加熱溶融され固化することにより、ヘッド部４内に埋設され、固定される。
図８（ｃ）に示すように、前記加熱チップ８ｂを上昇させることにより、ヘッド部４（歯ブラシ１）が完成する。
【００５３】
このように、ヘッド部４の一部（壁部４ｃ）を溶融固化することにより、固定部７が形成されるため、従来の歯ブラシのような毛束を固定する固定部とヘッド部の界面が存在せず、機械的強度を増大させることができる。
また、従来の歯ブラシのように成形金型５０を必要としないため、安価にヘッド部４（歯ブラシ１）を製造することができる。
しかも、前記歯ブラシは、歯ブラシ本体部（ヘッド部と柄部）の形成と毛束のヘッド部への固定が同時に行われる従来の歯ブラシと異なり、毛束を構成する毛の下端部同士が接着されることはなく、また毛の下端部が歯ブラシ本体部（ヘッド部）に接着されることもない。
また、前記歯ブラシの植毛穴は、前記従来の歯ブラシのように毛束に倣った形状にならず、毛の下端部と歯ブラシ本体部（ヘッド部）との間に隙間が形成され、植毛穴の形状を維持することができる。
その結果、水抜けが良く、また毛束の所定のしなやかさを維持できる使用感の良い歯ブラシを得ることができる。
【００５４】
次に、上記実施形態の第１の変形例について、図９に基づいて説明する。尚、図９において図１乃至図８に示した部材と同一あるいは相当する部材は、同一符号を付し、その説明を省略する。
上記実施形態の固定部７は、前記ヘッド部４の背面側の植設穴６（大径部６ｂ）の周囲を囲うように形成された、ヘッド部の一部である壁部４ｃを溶融固化して形成されたものである。
これに対して、第１の変形例は、植設穴６（大径部６ｂ）の背面側に配置された（ヘッド部と別部材である）、外形が円筒状あるいは円錐台形状の閉塞部材１０Ａを溶融固化することにより形成される点において特徴がある。
【００５５】
この固定部７の形成工程を、図９に基づいて説明する。
図９（ａ）に示すように、閉塞部材１０Ａを植設穴６の背面側（大径部６ｂ側）に配置する。次に、図９（ｂ）に示すように、インパルスウェルダー（ＩＰＷ）の加熱チップ８ｂを下降させ、キャビティ８ａ内に閉塞部材１０Ａを収容し、加熱溶融する。このとき、キャビティ８ａ内の形状に対応して、閉塞部材１０Ａは塊状部５Ｂの背面側を覆う方向に倒れ、大径部６ｂの開口部６ｂ１を塞ぎ、塊状部５Ｂを固定する固定部７が形成される。即ち、前記塊状部５Ｂは、前記閉塞部材１０Ａが加熱溶融され固化することにより、ヘッド部４内に埋設され、固定される。
図９（ｃ）に示すように、前記加熱チップ８ｂを上昇させることにより、ヘッド部４（歯ブラシ１）が完成する。
【００５６】
次に、上記実施形態の第２の変形例について、図１０に基づいて説明する。尚、図１０において図１乃至図８に示した部材と同一あるいは相当する部材は、同一符号を付し、その説明を省略する。
この第２の変形例は、植設穴の背面側に配置された（ヘッド部と別部材である）、外形が球状あるいは断面が楕円形状の閉塞部材１０Ｂを溶融することにより形成される点において特徴がある。
【００５７】
この固定部７の形成工程を、図１０に基づいて説明する。
図１０（ａ）に示すように、閉塞部材１０Ｂを植設穴６（大径部６ｂ）の背面側に配置する。このとき、閉塞部材１０Ｂの外形が球状あるいは断面が楕円形状に形成されているため、閉塞部材１０Ｂの一部が大径部６ｂ内に進入し、仮固定される。
その後、図１０（ｂ）に示すように、インパルスウェルダー（ＩＰＷ）の加熱チップ８ｂを下降させ、キャビティ８ａ内に閉塞部材１０Ｂを収容し、加熱溶融し固化することにより、塊状部５Ｂを固定する固定部７が形成される。
即ち、前記塊状部５Ｂは、前記閉塞部材１０Ｂが加熱溶融され固化することにより、ヘッド部４内に埋設され、固定される。図１０（ｃ）に示すように、前記加熱チップ８ｂを上昇させることにより、ヘッド部４（歯ブラシ１）が完成する。
【００５８】
次に、上記実施形態の第３の変形例について、図１１に基づいて説明する。尚、図１１において図１乃至図８に示した部材と同一あるいは相当する部材は、同一符号を付し、その説明を省略する。
この第３の変形例は、植設穴の背面側に配置された（ヘッド部と別部材である）、外形がシート状の閉塞部材１０Ｃを溶融固化することにより形成される点において特徴がある。尚、この変形例あっては、大径部６ｂが形成されない場合を示している。
【００５９】
この固定部７の形成工程を、図１１に基づいて説明する。
図１１（ａ）に示すように、閉塞部材１０Ｃを植設穴６の背面側に配置する。このとき、閉塞部材１０Ｃがシート状に形成されているため、閉塞部材１０Ｃは、ヘッド部４の上面（背面）に載置ことにより、仮固定される。尚、塊状部５Ｂは、植設穴６の上縁部（係止部）に係止される。
その後、図１１（ｂ）に示すように、インパルスウェルダー（ＩＰＷ）の加熱チップ８ｂを下降させ、キャビティ８ａ内に閉塞部材１０Ｃを収容し、加熱溶融し固化することにより、塊状部５Ｂを固定する固定部７が形成される。即ち、前記塊状部５Ｂは、前記閉塞部材１０Ｃが加熱溶融、固化することにより、ヘッド部４内に埋設され、固定される。
そして、図１１（ｃ）に示すように、前記加熱チップ８ｂを上昇させることにより、ヘッド部４（歯ブラシ１）が完成する。
【００６０】
次に、本発明の第２の実施形態を図１２乃至図１５に基づいて説明する。
この第２の実施形態は、植設穴が前記ヘッド部に１個設けられている、いわゆるワンタフトブラシに本発明を適用した場合を示す。尚、図１乃至図１１に示した第１の実施形態の部材と、同一または相当する部材は、同一符号を付することにより、その詳細な説明は省略する。
【００６１】
図１２に示すように、歯ブラシ１１は歯ブラシ１１の柄１２を有し、この柄１２の先端部分には、ブラシ１３が設けられた歯ブラシヘッド（以下、ヘッド部という）１４が形成されている。
前記歯ブラシ１１はいわゆるワンタフトブラシであって、複数本の合成樹脂製繊維５からなる一つの毛束５Ａを、前記ヘッド部１４に植設することにより形成される。
【００６２】
前記ヘッド部１４に一つの毛束５Ａを植設するために、図１４、図１５に示すように、前記ヘッド部１４には１個の植設穴６が形成されている。この植設穴６は、ヘッド部１４の表面１４ａ側と背面１４ｂ側とを貫通して形成されている。
また、前記ヘッド部４の背面側の植設穴６（大径部６ｂ）の周囲には、外形が円筒状あるいは円錐台形状（中心部に植設穴６が形成された）の壁部１４ｃが形成されている。
【００６３】
そして、図１３に示すように、前記壁部１４を溶融固化することによって固定部７が形成される。
即ち、毛束５Ａの塊状部５Ｂを係止部６ａに係止し、上方からヒータのような加熱溶融装置を壁部１４ｃに押し当てることにより、植設穴６（大径部６ｂ）の背面側の開口部を、固定部７が覆うことによって、前記毛束５Ａはヘッド部１４に固定される。
【００６４】
上記したように、前記した第１の実施形態が複数個の植設穴が設けられているのに対し、この第２の実施形態は、前記ヘッド部に植設穴が１個設けられている点において相違している。
この第２の実施形態においても、合成樹脂製繊維５が集合した毛束の繊維の数は適宜設定することができるが、植設穴が１個であるため、通常の歯ブラシ１における毛束の繊維数よりも多くの繊維が植設される。
また、毛束５Ａの先端部は、全体として穂形状になるように、斜面部５Ｃが形成されている。
【００６５】
次に、第２の実施形態の変形例について、図１６乃至図１８に基づいて説明する。尚、尚、図１２乃至図１５に示した第２の実施形態の部材と、同一または相当する部材は、同一符号を付することにより、その詳細な説明は省略する。
この変形例は、図１６に示すように、毛束５Ａの塊状部５Ｂの背面側を覆うように、植設穴に蓋部材Ｆを配置し、ヘッド部１４の背面１４ｂ側の一部を溶融固化することにより、前記蓋部材Ｆを介して、毛束５Ａを前記ヘッド部１４に固定するものである。
【００６６】
いわゆるワンタフトブラシの場合、一つの毛束５Ａの直径、植設穴６（大径部６ｂ）の直径が、一般的な歯ブラシおける、一つの毛束５Ａの直径、植設穴６（大径部６ｂ）の直径よりも大きく形成される。
そのため、壁部１４ｃを溶融、固化し、毛束５Ａを固定しようとすると、壁部１４ｃの高さを高くする必要がある。
また、従来のワンタフトブラシの植毛穴の直径は４ｍｍ程度であるが、これを１０ｍｍ程度まで拡大しようとすると、さらに壁部１４ｃを高くする必要がある。このように、壁部１４ｃの高さを高くした場合には、成形性が低下するとともに、溶融した１４ｃが塊状部５Ｂの前面を被覆することが困難になるという問題が生じる。
即ち、この変形例は、かかる問題を解決するものであり、植設穴に蓋部材Ｆを介して、固定部７によって毛束５Ａを前記ヘッド部１４に固定する点に特徴がある。
【００６７】
具体的には、図１７に示すように、毛束５Ａの塊状部５Ｂを係止部６ａに係止すると共に、蓋部材７Ａを植設穴６の上方から大径部６ｂ内に収容する。そして、図１８に示すように、前記した第２の実施形態と同様に、壁部１４ｃを溶融、固化することにより、前記蓋部材１７を固定する固定部材７を形成する。
尚、この変形例では、毛束５Ａの塊状部５Ｂと別個の部材である蓋部材Ｆを用いたが、蓋部材Ｆを用いることなく、毛束５Ａの塊状部５Ｂの厚さを厚くし、壁部１４ｃを溶融、固化し、塊状部５Ｂを押さえる固定部材７を形成しても良い。
【００６８】
また、第２の実施形態である、いわゆるワンタフトブラシは、前記した第１の実施形態にかかる製造方法を適用することによって製造することができる。尚、当然、第１の実施形態にかかる製造方法の第１乃至第３の変形例も適用することができる。
そして、第２の実施形態である、いわゆるワンタフトブラシにおいても、第１の実施形態で述べた効果と同様な効果を奏するものである。
更に、第２の実施形態の変形例は、第１の実施形態にも適用することができる。
【符号の説明】
【００６９】
１        歯ブラシ
２        歯ブラシの柄
３        ブラシ
４        ヘッド部
４ａ      ヘッド部表面
４ｂ      ヘッド部背面
４ｃ      壁部
５        合成樹脂製繊維
５Ａ      毛束
５Ｂ      塊状部
５Ｃ      斜面部
５ａ      テーパ繊維
５ａ１    テーパ面
５ｂ      非テーパ繊維
６        植設穴
６ａ      係止部
６ｂ      大径部
６ｂ１    大径部開口部
６ｃ      表面側開口部
７        固定部
８        加熱溶融装置
８ａ      加熱チップ
８ａ１    キャビティ
８ｂ      加熱チップ
８ｂ１    キャビティ
９        押しピン
１０Ａ    閉塞部材
１０Ｂ    閉塞部材
１０Ｃ    閉塞部材
１１      歯ブラシ
１２      歯ブラシの柄
１３      ブラシ
１４      ヘッド部
１４ａ    ヘッド部表面
１４ｂ    ヘッド部背面
１４ｃ    壁部
Ｆ        蓋部材
Ｐ        可動支点
Ｘ        テーパ面長さ
Ｙ        非テーパ面長さ
【図１】
2017148469.tif 000003
【図２】
2017148469.tif 000004
【図３】
2017148469.tif 000005
【図４】
2017148469.tif 000006
【図５】
2017148469.tif 000007
【図６】
2017148469.tif 000008
【図７】
2017148469.tif 000009
【図８】
2017148469.tif 000010
【図９】
2017148469.tif 000011
【図１０】
2017148469.tif 000012
【図１１】
2017148469.tif 000013
【図１２】
2017148469.tif 000014
【図１３】
2017148469.tif 000015
【図１４】
2017148469.tif 000016
【図１５】
2017148469.tif 000017
【図１６】
2017148469.tif 000018
【図１７】
2017148469.tif 000019
【図１８】
2017148469.tif 000020
【図１９】
2017148469.tif 000021
【図２０】
2017148469.tif 000022
【図２１】
2017148469.tif 000023
【図２２】
2017148469.tif 000024
【図２３】
2017148469.tif 000025
【図２４】
2017148469.tif 000026